(57)【要約】【課題】縦材の配設されていない部分に左右接合部が配される外壁板を充分な強度で留め付けることができる，耐久性に優れた留め付け部材及びこれを用いた外壁施工構造並びに外壁施工方法を提供すること。【解決手段】縦材の配設されていない部分に左右接合部が配される外壁板を構造躯体に留め付けるための留め付け部材１。留め付け部材１は，２本の縦材にわたって固定される長尺固定板２と，その前面において左右にスライド可能に取付けられたスライド留め付け金具３とを有する。スライド留め付け金具３は，基板部３１と，上方脚部３２と，下方脚部３３と，支承部３４と，上板係止部３５と，下板係止部３６とを有する。スライド留め付け金具２は，外壁板の左右接合部の上端及び下端に配置して，左右の外壁板の上辺部及び下辺部に係合させることができるよう構成されている。【選択図】  図１
2004270341.tif 000002
【特許請求の範囲】
【請求項１】
建物の構造躯体における縦材の配設されていない部分に左右接合部が配される外壁板を上記構造躯体に留め付けるための留め付け部材であって，
該留め付け部材は，隣り合う２本の上記縦材にわたって固定される長尺固定板と，
該長尺固定板の前面において左右にスライド可能に取付けられたスライド留め付け金具とを有し，
上記スライド留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，
上記スライド留め付け金具は，上記左右の外壁板の左右接合部の上端及び下端に配置して，上記左右の外壁板の上辺部及び下辺部に係合させることができるよう構成されていることを特徴とする留め付け部材。
【請求項２】
請求項１において，上記スライド留め付け金具は，上記支承部を左右２箇所に有すると共に，上記上板係止部の前端と上記下板係止部の前端を連設する連設部を有し，また，上記スライド留め付け金具は，上記２つの支承部の間において上記基板部から前方へ水平方向に立設された中央水平立設部と，該中央水平立設部の前端に垂直方向に形成された中央前板部とを有し，該中央前板部は上記連設部よりも後方に配置されており，かつ，上記中央水平立設部の左右端部の上面には，少なくとも上記中央前板部の上端まで延びる弾性材が配設されていることを特徴とする留め付け部材。
【請求項３】
請求項１又は２において，上記スライド留め付け金具は，上記支承部よりも下方に，垂直方向に前方に立設された垂直立設部を有することを特徴とする留め付け部材。
【請求項４】
請求項１〜３のいずれか１項において，上記長尺固定板は，前方へ隆起したリブ部と，上辺から前方へ屈曲した上辺屈曲部とを，左右方向にわたって連続形成してなることを特徴とする留め付け部材。
【請求項５】
請求項１〜４のいずれか１項において，上記長尺固定板は，左右方向に連続形成された長尺開口部を有し，上記スライド留め付け金具は，上記基板部に形成された挿通孔に挿通したビスと，上記長尺固定板の背面に配された取付板とによって上記長尺固定板に取付けられ，上記ビスが，上記長尺固定板の上記長尺開口部に挿通されて，上記取付板に形成されたビス孔に螺合することにより，上記スライド留め付け金具を上記長尺固定板に取付けることができるよう構成されていることを特徴とする留め付け部材。
【請求項６】
請求項５において，上記取付板の前面には，上記ビス孔の上下位置に一対の突起を有し，該突起は，上記長尺固定板の長尺開口部の上下位置に複数対形成された位置決め穴のうちのいずれか一対に係合するよう構成されていることを特徴とする留め付け部材。
【請求項７】
請求項１〜６のいずれか１項において，上記留め付け部材は，上記長尺固定板のうち上記縦材に配される部分である２箇所の固定部に，上記外壁板を上記構造躯体に留め付けるための固定留め付け金具を配設してなり，該固定留め付け金具は，上記長尺固定板と共に上記縦材に固定できるよう構成されており，また，上記固定留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有することを特徴とする留め付け部材。
【請求項８】
建物の構造躯体における縦材の配設されていない部分に外壁板の左右接合部が配された外壁施工構造において，
上記外壁板は，隣り合う２本の上記縦材にわたって固定された長尺固定板と，該長尺固定板の前面において左右にスライド可能に取付けられたスライド留め付け金具とを有する留め付け部材によって上記構造躯体に留め付けられており，
上記スライド留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，
上記スライド留め付け金具は，上記左右の外壁板の左右接合部の上端及び下端に配置しており，上記基板部を上記外壁板の裏側面に当接させると共に，上記下板係止部を下方の外壁板の上辺部に係止させ，上方の外壁板の下辺部を上記支承部によって支承すると共に上記上板係止部によって係止させた状態で，上記長尺固定板に固定されていることを特徴とする外壁施工構造。
【請求項９】
請求項８において，上記スライド留め付け金具は，上記支承部を左右２箇所に有すると共に，上記上板係止部の前端と上記下板係止部の前端を連設する連設部を有し，また，上記スライド留め付け金具は，上記２つの支承部の間において上記基板部から前方へ水平方向に立設された中央水平立設部と，該中央水平立設部の前端に垂直方向に形成された中央前板部とを有し，該中央前板部は上記連設部よりも後方に配置されており，かつ，上記中央水平立設部の左右端部の上面には，少なくとも上記中央前板部の上端まで延びる弾性材が配設されており，該弾性材は，上方の上記外壁板の下辺部に密着していることを特徴とする外壁施工構造。
【請求項１０】
請求項８又は９において，上記スライド留め付け金具は，上記支承部よりも下方に，垂直方向に前方に立設された垂直立設部を有し，下方の上記外壁板の側辺部は，上記垂直立設部に当接していることを特徴とする外壁施工構造。
【請求項１１】
請求項８〜１０のいずれか１項において，上記長尺固定板は，前方へ隆起したリブ部と，上辺から前方へ屈曲した上辺屈曲部とを，左右方向にわたって連続形成してなることを特徴とする外壁施工構造。
【請求項１２】
請求項８〜１１のいずれか１項において，上記長尺固定板は，左右方向に連続形成された長尺開口部を有し，上記スライド留め付け金具は，上記基板部に形成された挿通孔に挿通したビスと，上記長尺固定板の背面に配された取付板とによって上記長尺固定板に取付けられ，上記ビスが，上記長尺固定板の上記長尺開口部に挿通されて，上記取付板に形成されたビス孔に螺合することにより，上記スライド留め付け金具を上記長尺固定板に取付けてなることを特徴とする外壁施工構造。
【請求項１３】
請求項１２において，上記取付板の前面には，上記ビス孔の上下位置に一対の突起を有し，該突起は，上記長尺固定板の長尺開口部の上下位置に複数対形成された位置決め穴のうちのいずれか一対に係合していることを特徴とする外壁施工構造。
【請求項１４】
請求項８〜１３のいずれか１項において，上記留め付け部材は，上記長尺固定板のうち上記縦材に配される部分である２箇所の固定部に，上記外壁板を上記構造躯体に留め付けるための固定留め付け金具を配設してなり，該固定留め付け金具は，上記長尺固定板と共に上記縦材に固定されており，また，上記固定留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，上記固定留め付け金具は，上記基板部を上記外壁板の裏側面に当接させると共に，上記下板係止部を下方の外壁板の上辺部に係止させ，上方の外壁板の下辺部を上記支承部によって支承すると共に上記上板係止部によって係止させた状態で，上記長尺固定板に固定されていることを特徴とする外壁施工構造。
【請求項１５】
建物の構造躯体における縦材の配設されていない部分に外壁板の左右接合部が配された外壁施工構造を施工する方法において，
隣り合う２本の上記縦材の配設ピッチ以上の長さの長尺固定板と，該長尺固定板の前面において左右にスライド可能に取付けられたスライド留め付け金具とを有する留め付け部材を用意し，
上記スライド留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有しており，
下方の上記外壁板の左右接合部における上端に，上記スライド留め付け金具を配置して，該スライド留め付け金具の上記基板部を上記外壁板の裏側面に当接させると共に，上記下板係止部を下方の左右の上記外壁板に係止し，
次いで，上記長尺固定板を，上記スライド留め付け金具及び上記外壁板に対して左右に移動させて，上記長尺固定板が２本の縦材を連結するように配置して，上記長尺固定板を上記２本の縦材に固定すると共に，上記スライド留め付け金具を上記長尺固定板に固定し，
次いで，上方の外壁板を，その左右接合部の下端が上記スライド留め付け金具に配されるように配置し，上記外壁板の下端部を上記スライド留め付け金具の支承部によって支承させると共に，上記上板係止部によって下辺部を係止させることを特徴とする外壁施工方法。
【請求項１６】
請求項１５において，上記スライド留め付け金具は，上記支承部を左右２箇所に有すると共に，上記上板係止部の前端と上記下板係止部の前端を連設する連設部とを有し，また，上記スライド留め付け金具は，上記２つの支承部の間において上記基板部から前方へ水平方向に立設された中央水平立設部と，該中央水平立設部の前端に垂直方向に形成された中央前板部とを有し，該中央前板部は上記連設部よりも後方に配置されており，かつ，上記中央水平立設部の左右端部の上面には，少なくとも上記中央前板部の上端まで延びる弾性材が配設されており，上記留め付け部材の上方に外壁板を配置するに当っては，該外壁板の下辺部に，上記弾性材を密着させることを特徴とする外壁施工方法。
【請求項１７】
請求項１５又は１６において，上記スライド留め付け金具は，上記支承部よりも下方に，垂直方向に前方に立設された垂直立設部を有し，下方の上記外壁板の左右接合部における上端に上記スライド留め付け金具を配置するに当っては，下方の上記外壁板の側辺部が上記垂直立設部に当接するようにすることを特徴とする外壁施工方法。
【請求項１８】
請求項１５〜１７のいずれか１項において，上記長尺固定板は，左右方向に連続形成された長尺開口部を有し，上記スライド留め付け金具を上記長尺固定板に固定するに当っては，ビスを，上記スライド留め付け金具の基板部に形成されたビス穴に挿通すると共に，上記長尺固定板の上記長尺開口部に挿通し，更に上記長尺固定板の背面に配された取付板のビス孔に螺合することを特徴とする外壁施工方法。
【請求項１９】
請求項１８において，上記取付板の前面には，上記ビス孔の上下位置に一対の突起を有し，上記スライド留め付け金具を上記長尺固定板に固定するに当り，上記突起を，上記長尺固定板の長尺開口部の上下位置に複数対形成された位置決め穴のうちのいずれか一対に係合させることを特徴とする外壁施工方法。
【請求項２０】
請求項１５〜１９のいずれか１項において，上記留め付け部材は，上記長尺固定板のうち上記縦材に配される部分である２箇所の固定部に，上記外壁板を上記構造躯体に留め付けるための固定留め付け金具を配設し，該固定留め付け金具は，上記長尺固定板と共に上記縦材に固定されており，また，上記固定留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，上記固定留め付け金具を，上記基板部を上記外壁板の裏側面に当接させると共に，上記下板係止部を下方の外壁板の上辺部に係止させ，上方の外壁板の下辺部を上記支承部によって支承すると共に上記上板係止部によって係止させた状態で，上記長尺固定板に固定することを特徴とする外壁施工方法。
【発明の詳細な説明】
【０００１】
【発明の属する技術分野】
本発明は，建物の構造躯体における縦材の配設されていない部分に左右接合部が配される外壁板を上記構造躯体に留め付けるための留め付け部材及びこれを用いた外壁施工構造並びに外壁施工方法に関する。
【０００２】
【従来の技術】
従来より，建物の工法として軸組工法が採用されているが，この軸組工法においては，通常，胴縁下地組が４５５ｍｍピッチで組まれる。これは，胴縁が施工される柱と間柱との間隔が４５５ｍｍであるという，日本の建築分野において使用されている基準寸法に基づく。
これに伴い，外壁板の製品寸法も，上記胴縁下地組のピッチに合せて，当該ピッチ（４５５ｍｍ）の整数倍（例えば１８２０ｍｍ）の横幅寸法となるように設計，製造されている。
【０００３】
しかし，近年，柱と間柱との配設ピッチが，上記の基準寸法とは異なる設計（例えば，メーターモジュール）が採用される場合も多く，かかる場合に上記外壁板を，上記柱，間柱に固定すると，外壁板の左右端部を上記柱，間柱上に配置することができない。そのため，構造躯体に対する外壁板の固定力を充分確保することが困難となるおそれがある。
そこで，図１７に示すごとく，隣合う縦材（柱，間柱）５１にわたって固定される長尺留め付け金具９を用いて，上記外壁板４を構造躯体５０に留め付ける技術が提案されている（特許文献１参照）。
【０００４】
この長尺留め付け金具９は，図１７に示すごとく，上記縦材５１への取付面となる上下の平板上の脚板部９１と，該脚板部９１よりも前方へ突き出た平板部９２と，該平板部９２の全横幅方向にわたって平板部９２に直交する方向に立設された立上り部９３と，該立上り部９３の前端から上下にそれぞれ突出した上板係止部９４及び下板係止部９５とを有する。
【０００５】
そして，上記長尺留め付け金具９を，外壁板の左右接合部の上辺部及び下辺部に配し，上記下板係止部９５によって下側の２枚の外壁板を係止し，上板係止部９４によって上側の２枚の外壁板を係止する。
なお，図１７に示すごとく，上記長尺留め付け金具９は，胴縁５３を介して上記縦材５１に固定されている。
【０００６】
【特許文献１】
特開２０００−２９１２２５号公報
【０００７】
【発明が解決しようとする課題】
しかしながら，上記長尺留め付け金具９は，上記上板係止部９４及び下板係止部９５も長尺（同寸法）に形成されている。そのため，上記上板係止部９４あるいは下板係止部９５が係止する左右２枚の外壁板のそれぞれから異なる方向に力を受けた場合，上記長尺留め付け金具９には，無理な力が作用することとなる。その結果，長期間の使用により，上記長尺留め付け金具９に金属疲労が蓄積することが考えられ，耐久性を充分に確保することが困難となるおそれがある。
【０００８】
本発明は，かかる従来の問題点に鑑みてなされたもので，縦材の配設されていない部分に左右接合部が配される外壁板を充分な強度で留め付けることができる，耐久性に優れた留め付け部材及びこれを用いた外壁施工構造並びに外壁施工方法を提供しようとするものである。
【０００９】
【課題を解決するための手段】
第１の発明は，建物の構造躯体における縦材の配設されていない部分に左右接合部が配される外壁板を上記構造躯体に留め付けるための留め付け部材であって，
該留め付け部材は，隣り合う２本の上記縦材にわたって固定される長尺固定板と，
該長尺固定板の前面において左右にスライド可能に取付けられたスライド留め付け金具とを有し，
上記スライド留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，
上記スライド留め付け金具は，上記左右の外壁板の左右接合部の上端及び下端に配置して，上記左右の外壁板の上辺部及び下辺部に係合させることができるよう構成されていることを特徴とする留め付け部材にある（請求項１）。
【００１０】
次に，本発明の作用効果につき説明する。
上記留め付け部材は，上記長尺固定板と上記スライド留め付け金具とからなる。それ故，上記外壁板の左右接合部が上記縦材に配設されていなくても，該左右接合部に上記スライド留め付け金具を配置することができる。そして，上記外壁板の左右接合部を，上記スライド留め付け金具によって，上記長尺固定板を介して，上記構造躯体に固定することができる。
それ故，上記留め付け部材は，縦材の配設されていない部分に左右接合部が配される外壁板を充分な強度で留め付けることができる。
【００１１】
また，左右接合部において外壁板を係止するのは，上記スライド留め付け金具である。そして，該スライド留め付け金具は特に長尺ではないため，左右の外壁板から異なる方向に力の作用を受けても，該スライド留め付け金具に大きな負荷がかかることはない。それ故，耐久性に優れた留め付け部材を得ることができる。
【００１２】
以上のごとく，本発明によれば，縦材の配設されていない部分に左右接合部が配される外壁板を充分な強度で留め付けることができる，耐久性に優れた留め付け部材を提供することができる。
【００１３】
第２の発明は，建物の構造躯体における縦材の配設されていない部分に外壁板の左右接合部が配された外壁施工構造において，
上記外壁板は，隣り合う２本の上記縦材にわたって固定された長尺固定板と，該長尺固定板の前面において左右にスライド可能に取付けられたスライド留め付け金具とを有する留め付け部材によって上記構造躯体に留め付けられており，
上記スライド留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，
上記スライド留め付け金具は，上記左右の外壁板の左右接合部の上端及び下端に配置しており，上記基板部を上記外壁板の裏側面に当接させると共に，上記下板係止部を下方の外壁板の上辺部に係止させ，上方の外壁板の下辺部を上記支承部によって支承すると共に上記上板係止部によって係止させた状態で，上記長尺固定板に固定されていることを特徴とする外壁施工構造にある（請求項８）。
【００１４】
次に，本発明の作用効果につき説明する。
上記留め付け部材は，上記長尺固定板と上記スライド留め付け金具とからなり，上記長尺固定板が隣り合う２本の縦材にわたって固定され，上記スライド留め付け金具が左右接合部において外壁板を係止する。それ故，上記外壁板の左右接合部が上記縦材に配設されていなくても，該左右接合部に上記スライド留め付け金具を配置し，上記外壁板の左右接合部を，間接的に上記構造躯体に固定することができる。
それ故，縦材の配設されていない部分に左右接合部が配される外壁板を充分な強度で留め付けることができる。
【００１５】
また，左右接合部において外壁板を係止するのは，上記スライド留め付け金具である。そして，該スライド留め付け金具は特に長尺ではないため，左右の外壁板から異なる方向に力の作用を受けても，該スライド留め付け金具に大きな負荷がかかることはない。それ故，留め付け部材の耐久性を充分確保することができ，ひいては，耐久性に優れた外壁施工構造を得ることができる。
【００１６】
以上のごとく，本発明によれば，縦材の配設されていない部分に左右接合部が配される外壁板を充分な強度で留め付けることができる，耐久性に優れた外壁施工構造を提供することができる。
【００１７】
第３の発明は，建物の構造躯体における縦材の配設されていない部分に外壁板の左右接合部が配された外壁施工構造を施工する方法において，
隣り合う２本の上記縦材の配設ピッチ以上の長さの長尺固定板と，該長尺固定板の前面において左右にスライド可能に取付けられたスライド留め付け金具とを有する留め付け部材を用意し，
上記スライド留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有しており，
下方の上記外壁板の左右接合部における上端に，上記スライド留め付け金具を配置して，該スライド留め付け金具の上記基板部を上記外壁板の裏側面に当接させると共に，上記下板係止部を下方の左右の上記外壁板に係止し，
次いで，上記長尺固定板を，上記スライド留め付け金具及び上記外壁板に対して左右に移動させて，上記長尺固定板が２本の縦材を連結するように配置して，上記長尺固定板を上記２本の縦材に固定すると共に，上記スライド留め付け金具を上記長尺固定板に固定し，
次いで，上方の外壁板を，その左右接合部の下端が上記スライド留め付け金具に配されるように配置し，上記外壁板の下端部を上記スライド留め付け金具の支承部によって支承させると共に，上記上板係止部によって下辺部を係止させることを特徴とする外壁施工方法にある（請求項１５）。
【００１８】
次に，本発明の作用効果につき説明する。
上記留め付け部材は，上記長尺固定板と上記スライド留め付け金具とからなり，上記長尺固定板を隣り合う２本の縦材にわたって固定し，上記スライド留め付け金具によって外壁板の左右接合部を係止する。それ故，上記外壁板の左右接合部が上記縦材に配設されていなくても，該左右接合部に上記スライド留め付け金具を配置し，上記外壁板の左右接合部を，間接的に上記構造躯体に固定することができる。
それ故，縦材の配設されていない部分に左右接合部が配される外壁板を充分な強度で留め付けることができる。
【００１９】
また，左右接合部において外壁板を係止する上記スライド留め付け金具は特に長尺ではないため，左右の外壁板から異なる方向に力の作用を受けても，該スライド留め付け金具に大きな負荷がかかることはない。それ故，留め付け部材の耐久性を充分確保し，耐久性に優れた外壁施工構造を構築することができる。
【００２０】
以上のごとく，本発明によれば，縦材の配設されていない部分に左右接合部が配される外壁板を充分な強度で留め付けることができる，耐久性に優れた外壁施工構造を構築する外壁施工方法を提供することができる。
【００２１】
【発明の実施の形態】
上記第１の発明（請求項１）において，上記構造躯体としては，例えば，軸組施工構造の構造躯体，枠組施工構造の構造躯体等，種々の構造躯体とすることができる。
また，上記留め付け部材は，上記縦材に直接固定しても，胴縁等の下地材を介して上記縦材に間接的に固定してもよい。
【００２２】
また，本明細書においては，「前」とは建物の外側方向を，「後」とは建物の内側方向をいう。そして，上記留め付け部材等に関しては，構造躯体に取付けた状態において，「前」，「後」，「上」，「下」，「水平」，「垂直」等の表現を用いる。また，「左」，「右」に関しては，外壁を意匠面側から正面視したとき（図１５参照）に「左」，「右」となる方向を表す。
【００２３】
また，上記留め付け部材は，例えば，ステンレス鋼，鉄等によって形成することができる。
そして，上記長尺固定板，スライド留め付け金具は，金属板を折り曲げ加工することにより形成したものであることが好ましい。この場合には，上記留め付け部材を安価に製造することができる。
【００２４】
また，上記スライド留め付け金具は，上記支承部を左右２箇所に有すると共に，上記上板係止部の前端と上記下板係止部の前端を連設する連設部を有し，また，上記スライド留め付け金具は，上記２つの支承部の間において上記基板部から前方へ水平方向に立設された中央水平立設部と，該中央水平立設部の前端に垂直方向に形成された中央前板部とを有し，該中央前板部は上記連設部よりも後方に配置されており，かつ，上記中央水平立設部の左右端部の上面には，少なくとも上記中央前板部の上端まで延びる弾性材が配設されていることが好ましい（請求項２）。
【００２５】
この場合には，上方の外壁板の左右接合部を伝ってきた雨水を，上記中央水平立設部における左右の弾性材の間に落下させることができる。そして，該弾性材によって上記雨水を堰き止め，該雨水が左右へ流れて外壁板の裏側面や構造躯体へ浸入することを防ぐことができる。
また，上記中央前板部が上記連設部よりも後方に配置していることにより，中央前板部の前方に空間が形成され，該空間から雨水を外壁前方へ排出することができる。
【００２６】
また，上記スライド留め付け金具は，上記支承部よりも下方に，垂直方向に前方に立設された垂直立設部を有することが好ましい（請求項３）。
この場合には，上記留め付け部材を用いて外壁板を施工したとき，上記垂直立設部には，下側の外壁板の側辺部を当接させることができる。例えば，上記外壁板を左方から順に施工する場合には，上記外壁板の右側辺部を上記垂直立設部に当接させることができる。
これにより，上記外壁板の左右方向の位置を正確に合わせることができ，施工性が大きく改善される。しかも施工後の外壁板の左右のずれを防ぐことができるため，長期にわたる外壁施工構造の安定化を図ることができる。
【００２７】
また，上記長尺固定板は，前方へ隆起したリブ部と，上辺から前方へ屈曲した上辺屈曲部とを，左右方向にわたって連続形成してなることが好ましい（請求項４，請求項１１）。
この場合には，上記長尺固定板の強度を向上させることができる。
【００２８】
また，上記長尺固定板は，左右方向に連続形成された長尺開口部を有し，上記スライド留め付け金具は，上記基板部に形成された挿通孔に挿通したビスと，上記長尺固定板の背面に配された取付板とによって上記長尺固定板に取付けられ，上記ビスが，上記長尺固定板の上記長尺開口部に挿通されて，上記取付板に形成されたビス孔に螺合することにより，上記スライド留め付け金具を上記長尺固定板に取付けることができるよう構成されていることが好ましい（請求項５）。
【００２９】
この場合には，上記スライド留め付け金具を，上記長尺固定板に対して左右に容易にスライド移動させることができると共に，上記長尺固定板における所望の位置に容易に固定することができる。
【００３０】
また，上記取付板の前面には，上記ビス孔の上下位置に一対の突起を有し，該突起は，上記長尺固定板の長尺開口部の上下位置に複数対形成された位置決め穴のうちのいずれか一対に係合するよう構成されていることが好ましい（請求項６）。
この場合には，上記スライド留め付け金具を上記長尺固定板に，安定して固定することができ，施工後に上記スライド留め付け金具が長尺固定板に対して左右にずれることを防ぐことができる。
【００３１】
また，上記留め付け部材は，上記長尺固定板のうち上記縦材に配される部分である２箇所の固定部に，上記外壁板を上記構造躯体に留め付けるための固定留め付け金具を配設してなり，該固定留め付け金具は，上記長尺固定板と共に上記縦材に固定できるよう構成されており，また，上記固定留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有することが好ましい（請求項７）。
この場合には，外壁板の留め付け力に一層優れた留め付け部材を得ることができる。
【００３２】
次に，上記第２の発明（請求項８）において，上記スライド留め付け金具は，上記支承部を左右２箇所に有すると共に，上記上板係止部の前端と上記下板係止部の前端を連設する連設部を有し，また，上記スライド留め付け金具は，上記２つの支承部の間において上記基板部から前方へ水平方向に立設された中央水平立設部と，該中央水平立設部の前端に垂直方向に形成された中央前板部とを有し，該中央前板部は上記連設部よりも後方に配置されており，かつ，上記中央水平立設部の左右端部の上面には，少なくとも上記中央前板部の上端まで延びる弾性材が配設されており，該弾性材は，上方の上記外壁板の下辺部に密着していることが好ましい（請求項９）。
【００３３】
この場合には，上方の外壁板の左右接合部を伝ってきた雨水を，上記中央水平立設部における左右の弾性材の間に落下させることができる。そして，該弾性材によって上記雨水を堰き止め，該雨水が左右へ流れて外壁板の裏側面や構造躯体へ浸入することを防ぐことができる。
また，上記中央前板部が上記連設部よりも後方に配置していることにより，中央前板部の前方に空間が形成され，該空間から雨水を外壁前方へ排出することができる。
【００３４】
また，上記スライド留め付け金具は，上記支承部よりも下方に，垂直方向に前方に立設された垂直立設部を有し，下方の上記外壁板の側辺部は，上記垂直立設部に当接していることが好ましい（請求項１０）。
【００３５】
この場合には，上記外壁板の左右方向の位置を正確に合わせることができ，施工性が大きく改善される。しかも施工後の外壁板の左右のずれを防ぐことができるため，長期にわたる外壁施工構造の安定化を図ることができる。
例えば，上記外壁板を左方から順に施工する場合には，上記外壁板の右側辺部を上記垂直立設部に当接させることができる。
【００３６】
また，上記長尺固定板は，左右方向に連続形成された長尺開口部を有し，上記スライド留め付け金具は，上記基板部に形成された挿通孔に挿通したビスと，上記長尺固定板の背面に配された取付板とによって上記長尺固定板に取付けられ，上記ビスが，上記長尺固定板の上記長尺開口部に挿通されて，上記取付板に形成されたビス孔に螺合することにより，上記スライド留め付け金具を上記長尺固定板に取付けてなることが好ましい（請求項１２）。
【００３７】
この場合には，上記スライド留め付け金具を，上記長尺固定板に対して左右に容易にスライド移動させることができると共に，上記長尺固定板における所望の位置に容易に固定することができる。
【００３８】
また，上記取付板の前面には，上記ビス孔の上下位置に一対の突起を有し，該突起は，上記長尺固定板の長尺開口部の上下位置に複数対形成された位置決め穴のうちのいずれか一対に係合していることが好ましい（請求項１３）。
この場合には，上記スライド留め付け金具を上記長尺固定板に，安定して固定することができ，上記スライド留め付け金具が長尺固定板に対して左右にずれることを防ぐことができる。
【００３９】
また，上記留め付け部材は，上記長尺固定板のうち上記縦材に配される部分である２箇所の固定部に，上記外壁板を上記構造躯体に留め付けるための固定留め付け金具を配設してなり，該固定留め付け金具は，上記長尺固定板と共に上記縦材に固定されており，また，上記固定留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，上記固定留め付け金具は，上記基板部を上記外壁板の裏側面に当接させると共に，上記下板係止部を下方の外壁板の上辺部に係止させ，上方の外壁板の下辺部を上記支承部によって支承すると共に上記上板係止部によって係止させた状態で，上記長尺固定板に固定されていることが好ましい（請求項１４）。
この場合には，一層強度に優れた外壁施工構造を得ることができる。
【００４０】
次に，第３の発明（請求項１５）において，上記スライド留め付け金具は，上記支承部を左右２箇所に有すると共に，上記上板係止部の前端と上記下板係止部の前端を連設する連設部とを有し，また，上記スライド留め付け金具は，上記２つの支承部の間において上記基板部から前方へ水平方向に立設された中央水平立設部と，該中央水平立設部の前端に垂直方向に形成された中央前板部とを有し，該中央前板部は上記連設部よりも後方に配置されており，かつ，上記中央水平立設部の左右端部の上面には，少なくとも上記中央前板部の上端まで延びる弾性材が配設されており，上記留め付け部材の上方に外壁板を配置するに当っては，該外壁板の下辺部に，上記弾性材を密着させることが好ましい（請求項１６）。
【００４１】
この場合には，上方の外壁板の左右接合部を伝ってきた雨水を，上記中央水平立設部における左右の弾性材の間に落下させることができる。そして，該弾性材によって上記雨水を堰き止め，該雨水が左右へ流れて外壁板の裏側面や構造躯体へ浸入することを防ぐことができる。
また，上記中央前板部が上記連設部よりも後方に配置していることにより，中央前板部の前方に空間が形成され，該空間から雨水を外壁前方へ排出することができる。
【００４２】
また，上記スライド留め付け金具は，上記支承部よりも下方に，垂直方向に前方に立設された垂直立設部を有し，下方の上記外壁板の左右接合部における上端に上記スライド留め付け金具を配置するに当っては，下方の上記外壁板の側辺部が上記垂直立設部に当接するようにすることが好ましい（請求項１７）。
【００４３】
この場合には，上記外壁板の左右方向の位置を正確に合わせることができ，施工性が大きく改善される。しかも施工後の外壁板の左右のずれを防ぐことができるため，長期にわたる外壁施工構造の安定化を図ることができる。
例えば，上記外壁板を左方から順に施工する場合には，上記外壁板の右側辺部を上記垂直立設部に当接させることができる。
【００４４】
また，上記長尺固定板は，左右方向に連続形成された長尺開口部を有し，上記スライド留め付け金具を上記長尺固定板に固定するに当っては，ビスを，上記スライド留め付け金具の基板部に形成されたビス穴に挿通すると共に，上記長尺固定板の上記長尺開口部に挿通し，更に上記長尺固定板の背面に配された取付板のビス孔に螺合することが好ましい（請求項１８）。
【００４５】
この場合には，上記スライド留め付け金具を，上記長尺固定板に対して左右に容易にスライド移動させることができると共に，上記長尺固定板における所望の位置に容易に固定することができる。
【００４６】
また，上記取付板の前面には，上記ビス孔の上下位置に一対の突起を有し，上記スライド留め付け金具を上記長尺固定板に固定するに当り，上記突起を，上記長尺固定板の長尺開口部の上下位置に複数対形成された位置決め穴のうちのいずれか一対に係合させることが好ましい（請求項１９）。
この場合には，上記スライド留め付け金具を上記長尺固定板に，安定して固定することができ，施工後に上記スライド留め付け金具が長尺固定板に対して左右にずれることを防ぐことができる。
【００４７】
また，上記留め付け部材は，上記長尺固定板のうち上記縦材に配される部分である２箇所の固定部に，上記外壁板を上記構造躯体に留め付けるための固定留め付け金具を配設し，該固定留め付け金具は，上記長尺固定板と共に上記縦材に固定されており，また，上記固定留め付け金具は，上記外壁板の裏側面に当接される基板部と，該基板部の上方において上記長尺固定板の前面に接触配置される上方脚部と，上記基板部の下方において上記長尺固定板の前面に接触配置される下方脚部と，上記基板部から前方へ水平方向に立設された支承部と，該支承部から斜め上方へ屈曲した上板係止部と，上記支承部から斜め下方へ屈曲した下板係止部とを有し，上記固定留め付け金具を，上記基板部を上記外壁板の裏側面に当接させると共に，上記下板係止部を下方の外壁板の上辺部に係止させ，上方の外壁板の下辺部を上記支承部によって支承すると共に上記上板係止部によって係止させた状態で，上記長尺固定板に固定することを特徴とする外壁施工方法（請求項２０）。
この場合には，一層強度に優れた外壁施工構造を構築することができる。
【００４８】
【実施例】
本発明の実施例にかかる留め付け部材及びこれを用いた外壁施工構造並びに外壁施工方法につき，図１〜図１６を用いて説明する。
上記留め付け部材１は，図１０に示すごとく，建物の構造躯体５０における縦材５１の配設されていない部分に左右接合部４０が配される外壁板４を上記構造躯体５０に留め付けるための部材である。
【００４９】
図１に示すごとく，上記留め付け部材１は，隣り合う２本の上記縦材５１にわたって固定される長尺固定板２と，該長尺固定板２の前面において左右にスライド可能に取付けられたスライド留め付け金具３とを有する。
図４〜図６，図１１，図１２に示すごとく，上記スライド留め付け金具３は，上記外壁板４の裏側面４６に当接される基板部３１を有する。該基板部３１の上方および下方には，それぞれ上記長尺固定板２の前面に接触配置される上方脚部３２及び下方脚部３３が形成されている。そして，上記スライド留め付け金具３は，上記基板部３１から前方へ水平方向に立設された支承部３４と，該支承部３４から斜め上方へ屈曲した上板係止部３５と，上記支承部３４から斜め下方へ屈曲した下板係止部３６とを有する。
【００５０】
そして，図１５に示すごとく，上記スライド留め付け金具３は，上記左右の外壁板４の左右接合部４０の上端及び下端に配置して，上記左右の外壁板４の上辺部４１及び下辺部４２に係合させることができるよう構成されている。
また，図４〜図６に示すごとく，上記スライド留め付け金具３は，上記支承部３４を左右２箇所に有すると共に，上記上板係止部３５の前端と上記下板係止部３６の前端を連設する連設部３５６を有する。
【００５１】
また，上記スライド留め付け金具３は，上記２つの支承部３４の間において上記基板部３１から前方へ水平方向に立設された中央水平立設部３７と，該中央水平立設部３７の前端に垂直方向に形成された中央前板部３７１とを有する。図６に示すごとく，該中央前板部３７１は上記連設部３５６よりも後方に配置されている。そして，上記中央水平立設部３７の左右端部の上面には，少なくとも上記中央前板部３７１の上端まで延びる弾性材３８が配設されている。本例においては，該弾性材３８は中央前板部３７１の前面まで延設されている。
【００５２】
また，図４〜図６に示すごとく，上記スライド留め付け金具３は，上記支承部３４よりも下方に，垂直方向に前方に立設された垂直立設部３９を有する。該垂直立設部３９は下方脚部３３に対して略直角に屈曲しており，その屈曲部には，金属板を局部的に変形してなる補強用のリブ３９５が形成されている。また，上記基板部３１及び上方脚部３２にも，それぞれ補強用のリブ３１５，３２５が形成されている。
【００５３】
また，上記スライド留め付け金具３は，基板部３１の略中央部分に設けられた挿通孔３１１の左右であって該挿通孔３１１と略同じ高さ位置に，後方へ突出したガイド部３１２を一対設けてなる。該ガイド部３１２は，図１２に示すごとく，上記長尺固定板２の長尺開口部２３に遊嵌し，上記スライド留め付け金具３が上記長尺固定板２に対して正確な姿勢で固定されるようガイドしている。
また，上記スライド留め付け金具３の上方脚部３２の上辺３２１は，上記長尺固定板２の上方屈曲部２２の下面位置に配される。
【００５４】
図１〜図３に示すごとく，上記長尺固定板２は，前方へ隆起したリブ部２１と，上辺から前方へ屈曲した上辺屈曲部２２とを，左右方向にわたって連続形成してなる。
上記長尺固定板２は，左右方向に連続形成された長尺開口部２３を有する。上記スライド留め付け金具３は，図１１，図１２，図１４に示すごとく，上記基板部３１に形成された挿通孔３１１に挿通したビス１３１と，上記長尺固定板２の背面に配された取付板１１とによって上記長尺固定板２に取付けられる。即ち，上記ビス１３１が，上記長尺固定板２の上記長尺開口部２３に挿通されて，上記取付板１１に形成されたビス孔１１１に螺合することにより，上記スライド留め付け金具３を上記長尺固定板２に取付けることができるよう構成されている。
【００５５】
上記ビス１３１の先端部１３３は，ねじ山を潰してあり，上記ビス１３１と取付板１１とが離脱しないようにして，上記長尺固定板２とスライド留め付け金具３とが離脱しないようにしている。
図７，図８に示すごとく，上記取付板１１の前面には，上記ビス孔１１１の上下位置に一対の突起１１２を有する。該突起１１２は，図１，図２に示すごとく，上記長尺固定板２の長尺開口部２３の上下位置に複数対形成された位置決め穴２４のうちのいずれか一対に係合するよう構成されている。
【００５６】
上記留め付け部材１は，図１に示すごとく，上記長尺固定板２のうち上記縦材５１に配される部分である２箇所の固定部２５に，上記外壁板４を上記構造躯体５０に留め付けるための固定留め付け金具１２（図９）を配設してなる。該固定留め付け金具１２は，図１，図１３に示すごとく，上記長尺固定板２と共に上記縦材５１に固定できるよう構成されている。
【００５７】
図９に示すごとく，上記固定留め付け金具１２は，上記外壁板４の裏側面４６に当接される基板部１２１と，該基板部１２１の上方及び下方においてそれぞれ上記長尺固定板２の前面に接触配置される上方脚部１２２及び下方脚部１２３とを有する。また，上記固定留め付け金具１２は，上記基板部１２１から前方へ水平方向に立設された支承部１２４と，該支承部１２４から斜め上方へ屈曲した上板係止部１２５と，上記支承部１２４から斜め下方へ屈曲した下板係止部１２６とを有する。
また，上記支承部１２４よりも上方の上記基板部１２１には，上記固定留め付け金具１２を縦材５１に固定するためのビス１３２を挿通する挿通孔１２７が形成されている。
【００５８】
図２に示すごとく，上記長尺固定板２の左右の固定部２５には，上記ビス１３２を挿通する挿通孔２５１をそれぞれ５個形成している。即ち，５個の挿通孔２５１のうち一個を選んでビス１３２を挿通することができるようになっている。
【００５９】
上記長尺固定板２は，左右長さが６００ｍｍ，上下幅が６０ｍｍである。また，上記リブ部２１は，上下幅が約１５ｍｍ，隆起高さが約２．２ｍｍである。
また，上記長尺固定板２は，厚み１．２ｍｍのステンレス鋼板を折り曲げ加工することにより形成したものである。
同様に，上記スライド留め付け金具３及び固定留め付け金具１２も，ステンレス鋼板を折り曲げ加工することにより形成したものである。また，上記スライド留め付け金具３の支承部３４は，重なり合った２枚の金属板を図６の符号Ｓの部分においてスポット溶接することにより形成されている。
また，上記弾性材３８は独立気泡のゴム発泡体からなる。
【００６０】
次に，上記留め付け部材１を用いた本例の外壁施工構造５につき説明する。
図１０に示すごとく，上記外壁板４は，隣り合う２本の上記縦材５１にわたって固定された長尺固定板２と，該長尺固定板２の前面に取付けられたスライド留め付け金具３とを有する留め付け部材１によって上記構造躯体５０に留め付けられている。
【００６１】
上記スライド留め付け金具３は，図１５に示すごとく，上記左右の外壁板４の左右接合部４０の上端及び下端に配置している。そして，該スライド留め付け金具３は，図１２に示すごとく，上記基板部３１を上記外壁板４の裏側面４６に当接させると共に，上記下板係止部３６を下方の外壁板４の上辺部４１に係止させ，上方の外壁板４の下辺部４２を上記支承部３４によって支承すると共に上記上板係止部３５によって係止させた状態で，上記長尺固定板２に固定されている。
【００６２】
上記縦材５１は，図１０に示すごとく，柱５１１又は間柱５１２である。そして，縦材５１の前面には防水紙５２を介して胴縁５３が配設されている。上記留め付け部材１は，該胴縁５３を介して，上記縦材５１に固定されている。
隣り合う上記縦材５１の間隔は約４５５ｍｍであり，外壁板４の横方向の長さは約１８２０ｍｍである。また，上記外壁板４は，四方合決り構造の窯業系外壁板である。即ち，図１１〜図１４に示すごとく，上記外壁板４は，上辺部４１に上部下実４１０，下辺部４２に下部上実４２０，右辺部４３に横下実４３０，左辺部４４に横上実４４０をそれぞれ形成してなる。
【００６３】
図１１に示すごとく，上記スライド留め付け金具３における弾性材３５６は，上方の上記外壁板４の下辺部４２に密着している。
また，下方の上記外壁板４の側辺部（右辺部４３）は，上記垂直立設部３９に当接している。
上記スライド留め付け金具３は，図１１に示すごとく，挿通孔３１１に挿通したビス１３１と，上記長尺固定板２の背面に配された取付板１１とによって上記長尺固定板２に取付けられている。
また，上記取付板１１の前面における突起１１２は，上記長尺固定板２の長尺開口部２３の上下位置に複数対形成された位置決め穴２４のうちのいずれか一対に係合している。
【００６４】
また，図１０，図１３に示すごとく，上記留め付け部材１に配設された固定留め付け金具１２は，上記長尺固定板２と共に上記縦材５１に固定されている。上記固定留め付け金具１２は，図１３に示すごとく，上記基板部１２１を上記外壁板４の裏側面４６に当接させると共に，上記下板係止部１２６を下方の外壁板４の上辺部４１に係止させ，上方の外壁板４の下辺部４２を上記支承部１２４によって支承すると共に上記上板係止部１２５によって係止させた状態で，上記長尺固定板２及び縦材５１に固定されている。
なお，最下段の外壁板４は，後述するごとく長尺のスタータ金具によって下辺部４２を支承されている（図示略）。
【００６５】
次に，本例の外壁施工方法につき説明する。
図１０〜図１４に示すごとく，上記留め付け部材１を構造躯体５０に配設するに当っては，下方の上記外壁板４の左右接合部４０における上端に，上記スライド留め付け金具３を配置する。そして，該スライド留め付け金具３の上記基板部３１を上記外壁板４の裏側面４６に当接させると共に，上記下板係止部３６を下方の左右の上記外壁板４に係止する。
【００６６】
次いで，図１０に示すごとく，上記長尺固定板２を，上記スライド留め付け金具３及び上記外壁板４に対して左右に移動させて，上記長尺固定板２が２本の縦材５１を連結するように配置する。この状態で，上記長尺固定板２を上記２本の縦材５１に固定すると共に，上記スライド留め付け金具３を上記長尺固定板２に固定する。
【００６７】
次いで，図１１〜図１３に示すごとく，上方の外壁板４を，その左右接合部４０の下端が上記スライド留め付け金具３に配されるように配置する。そして，上記外壁板４の下辺部４２を上記スライド留め付け金具３の支承部３４によって支承させると共に，上記上板係止部３５によって下辺部４２を係止させる。
上記長尺固定板２は，図１０に示すごとく，胴縁５３を介して構造躯体５０の縦材５１に固定されている。また，上記縦材５１と胴縁５３との間には防水紙５２が介在している。
【００６８】
また，上記留め付け部材１の上方に外壁板４を配置するに当っては，該外壁板４の下辺部４２に，上記弾性材３８を密着させる。
また，下方の上記外壁板４の左右接合部４０における上端に上記スライド留め付け金具３を配置するに当っては，下方の上記外壁板４の側辺部が上記垂直立設部３９に当接するようにする。即ち，下方の左側の外壁板４の右辺部４３が上記垂直立設部３９に当接するようにする。
【００６９】
上記スライド留め付け金具３を上記長尺固定板２に固定するに当っては，図１１，図１２に示すごとく，上記スライド留め付け金具３の挿通孔３１１及び上記長尺固定板２の上記長尺開口部２３に挿通され，取付板１１のビス孔１１１に螺合されたビス１３１を締める。
【００７０】
このとき，図１１に示すごとく，上記取付板１１の突起１１２を，上記長尺固定板２の位置決め穴２４のうちのいずれか一対に係合させる。
また，図１０に示すごとく，上記留め付け部材１における上記固定留め付け金具１２によっても，以下のごとく，外壁板４を構造躯体５０に留め付ける。即ち，図１３に示すごとく，上記固定留め付け金具１２の基板部１２１を上記外壁板４の裏側面４６に当接させると共に，上記下板係止部１２６を下方の外壁板４の上辺部４１に係止させる。そして，上方の外壁板４の下辺部４２を上記支承部１２４によって支承すると共に上記上板係止部１２５によって係止させた状態で，上記長尺固定板２に固定する。
【００７１】
また，最下段の外壁板４の下辺部４２は，長尺のスタータ金具によって支承する（図示略）。即ち，長尺のスタータ金具を，胴縁５３を介して構造躯体５０に固定し，該スタータ金具に上記最下段の外壁板４の下辺部４２を係止させる。
そして，この最下段の外壁板４の上辺部４１に，上述のごとく上記留め付け部材１を配設すると共にその上方に次の外壁板４を配し，これを順次繰り返すことにより，外壁施工構造５を構築する。
【００７２】
次に，本例の作用効果につき説明する。
上記留め付け部材１は，上記長尺固定板２と上記スライド留め付け金具３とからなる。それ故，図１０に示すごとく，上記外壁板４の左右接合部４０が上記縦材に配設されていなくても，該左右接合部４０に上記スライド留め付け金具３を配置することができる。そして，上記外壁板４の左右接合部４０を，上記スライド留め付け金具３によって，上記長尺固定板２を介して，上記構造躯体５０に固定することができる。
それ故，上記留め付け部材１は，縦材５１の配設されていない部分に左右接合部４０が配される外壁板４を充分な強度で留め付けることができる。
【００７３】
また，左右接合部４０において外壁板４を係止するのは，上記スライド留め付け金具３である。そして，該スライド留め付け金具３は特に長尺ではないため，左右の外壁板４から異なる方向に力の作用を受けても，該スライド留め付け金具３に大きな負荷がかかることはない。それ故，耐久性に優れた留め付け部材１を得ることができる。
【００７４】
また，上記スライド留め付け金具３は，上記支承部３４を左右２箇所に有すると共に上記連設部３５６を有し，また，上記スライド留め付け金具３は，上記中央水平立設部３７と上記中央前板部３７１とを有する。そして，該中央前板部３７１は上記連設部３５６よりも後方に配置されており，かつ，上記中央水平立設部３７の左右端部の上面には，少なくとも上記中央前板部３７１の上端まで延びる弾性材３８が配設されている。
【００７５】
そのため，図１６に示すごとく，上方の外壁板４の左右接合部４０を伝ってきた雨水６を，上記中央水平立設部３７における左右の弾性材３８の間に落下させることができる。そして，該弾性材３８によって上記雨水６を堰き止め，該雨水６が左右へ流れて外壁板４の裏側面４６や構造躯体５０へ浸入することを防ぐことができる。
【００７６】
なお，図１６における二点鎖線は各外壁板４の前方部分（意匠面）の輪郭を表す。そして，符号ａ２〜ｄ２を付した二点鎖線で輪郭を示した外壁板の前方部分は，それぞれ符号ａ１〜ｄ１を付した実線で輪郭を示した外壁板の後方部分と一体的になっている。また，符号４ａ，４ｂ，４ｃ，４ｄは，基準となるスライド留め付け金具３の，それぞれ左下，右下，左上，右上に配置される外壁板を表す。即ち，外壁板４ａ〜４ｄは，それぞれ，後方部分の輪郭ａ１〜ｄ１と前方部分の輪郭ａ２〜ｄ２とを有する外壁板である。
【００７７】
上記防水効果につき以下に詳説する。上記留め付け部材１の上方に配置する外壁板４の下辺部４２は，上記留め付け部材１の上記弾性材３８に密着する。
これにより，上記スライド留め付け金具３の中央水平立設部３７に落下して，左右方向に移動しようとする雨水６は，上記弾性材３８により堰き止められる。
【００７８】
更に，図６，図１４に示すごとく，上記スライド留め付け金具３における上記中央前板部３７１は，左右の上記連設部３５６よりも後方に配置されている。そして，図１２，図１４に示すごとく，該連設部３５６に上側の外壁板４の下部上実４２０の裏側面４２６が当接する。そのため，図１１，図１４に示すごとく，上記外壁板４の下部上実４２０の裏側面４２６と，上記中央前板部３７１との間に前方間隙５５が形成される。
これにより，図１１，図１４に示すごとく，上記中央水平立設部３７と，その左右端部の弾性材３８と，上記外壁板４の下辺部４２との間に形成される空間は，上記前方間隙５５と共に，外壁施工構造５の前方へ通じる通水路を構成する。
【００７９】
そのため，図１６に示すごとく，上記スライド留め付け金具３の中央水平立設部３７に落下し，上記弾性材３８により堰き止められた雨水６は，上記通水路５３を通り壁面前方へ積極的に排出される。それ故，雨水６が外壁施工構造５の内部にまで浸入することがない。
【００８０】
即ち，図１６に示すごとく，上記左右接合部４０から浸入した雨水６は，上記コーキング材４９によって横方向への移動が阻止され，上記左右接合部４０を伝って下方へ落下する。そして，雨水６はスライド留め付け金具３の中央前板部３７１の前面を通過し，更に下方に続く左右接合部４０へ移動し落下する。
また，上記左右接合部４０を伝って下方へ落下してきた上記雨水６が，上記スライド留め付け金具３の中央水平立設部３７の上面にも落下することがある。そして，この雨水６は，上記中央水平立設部３７上において左右へ向かって移動しようとする。
【００８１】
しかし，上記中央水平立設部３７の左右端部に上記弾性材３８が配設されていることにより，上記雨水６は堰き止められる。
従って，上記雨水６は，上記中央前板部３７１を乗り越えるしかなくなる。これにより，雨水６は，上記前方間隙５５を通り，上下の外壁板４の左右接合部４００から壁面前方へ排出されることになる。
【００８２】
このように，上記留め付け部材１を用いることにより，上記雨水６が外壁施工構造５の内部に浸入することを確実に防ぐことができ，上記外壁板４や構造躯体５０の腐食や劣化を確実に防止することができる。
また，上記弾性材３８は，独立気泡のゴム発泡体からなるため，該弾性材３８自体が雨水を吸収することもなく，一層確実に雨水６の浸入を防ぐことができる。
【００８３】
また，上記スライド留め付け金具３は，上記支承部３４よりも下方に，垂直方向に前方に立設された垂直立設部３９を有する。
そのため，上記留め付け部材１を用いて外壁板４を施工したとき，上記垂直立設部３９には，下側の外壁板４の側辺部（右辺部４３）を当接させることができる。
これにより，上記外壁板４の左右方向の位置を正確に合わせることができ，施工性が大きく改善される。しかも施工後の外壁板４の左右のずれを防ぐことができるため，長期にわたる外壁施工構造５０の安定化を図ることができる。
【００８４】
また，上記長尺固定板２は，前方へ隆起したリブ部２１と，上辺から前方へ屈曲した上辺屈曲部２２とを，左右方向にわたって連続形成してなる。そのため，上記長尺固定板２の強度を向上させることができる。
【００８５】
また，上記長尺固定板２は上記長尺開口部２３を有し，上記スライド留め付け金具３は，上記基板部３１の挿通孔３１１に挿通したビス１３１と，上記取付板１１とによって上記長尺固定板２に取付けられている。そして，上記ビス１３１が，上記長尺固定板２の上記長尺開口部２３に挿通されて，上記取付板１１に形成されたビス孔１１１に螺合することにより，上記スライド留め付け金具３を上記長尺固定板２に取付けることができる。
【００８６】
これにより，上記スライド留め付け金具３を，上記長尺固定板２に対して左右に容易にスライド移動させることができると共に，上記長尺固定板２における所望の位置に容易に固定することができる。
【００８７】
また，図７，図８に示すごとく，上記取付板１１の前面には，上記一対の突起１１２を有し，該突起１１２は，上記長尺固定板２の位置決め穴２４のうちのいずれか一対に係合するよう構成されている（図１１）。これにより，上記スライド留め付け金具３を上記長尺固定板２に，安定して固定することができ，施工後に上記スライド留め付け金具３が長尺固定板２に対して左右にずれることを防ぐことができる。
【００８８】
また，図１，図１０に示すごとく，上記留め付け部材１は，上記長尺固定板２の固定部２５に，上記固定留め付け金具１２を配設してなる。そして，該固定留め付け金具１２は，上記長尺固定板２と共に上記縦材５１に固定できるよう構成されている。これにより，外壁板４の留め付け力に一層優れた留め付け部材１を得ることができる。
【００８９】
また，上記長尺固定板２，スライド留め付け金具３，及び固定留め付け金具１２は，金属板を折り曲げ加工することにより形成したものであるため，上記留め付け部材１を安価に製造することができる。
【００９０】
また，図４〜図６に示すごとく，上記スライド留め付け金具３は，上記ガイド部３１２を一対設けてなる。そして，該ガイド部３１２は，図１２に示すごとく，上記長尺固定板２の長尺開口部２３に遊嵌する。これにより，上記スライド留め付け金具３は上記長尺固定板２に対して正確な姿勢で固定される。
また，図１，図１０〜図１３に示すごとく，上記スライド留め付け金具３の上方脚部３２の上辺３２１は，上記長尺固定板２の上方屈曲部２２の下面位置に配される。これによっても，上記スライド留め付け金具３を上記長尺固定板２に対して正確な姿勢で固定することができる。
【００９１】
以上のごとく，本例によれば，縦材の配設されていない部分に左右接合部が配される外壁板を充分な強度で留め付けることができる，耐久性に優れた留め付け部材及びこれを用いた外壁施工構造並びに外壁施工方法を提供することができる。
【００９２】
なお，上記実施例においては，胴縁を介して留め付け部材を縦材に固定する例を示したが，胴縁を用いずに留め付け部材を直接縦材に固定する場合にも，本発明を適用することができる。
【００９３】
【発明の効果】
本発明によれば，縦材の配設されていない部分に左右接合部が配される外壁板を充分な強度で留め付けることができる，耐久性に優れた留め付け部材及びこれを用いた外壁施工構造並びに外壁施工方法を提供することができる。
【図面の簡単な説明】
【図１】実施例における，留め付け部材の斜視図。
【図２】実施例における，長尺固定板の正面図。
【図３】実施例における，長尺固定板の右側面図。
【図４】実施例における，スライド留め付け金具の正面図。
【図５】実施例における，スライド留め付け金具の右側面図。
【図６】実施例における，スライド留め付け金具の底面図。
【図７】実施例における，取付板の正面図。
【図８】図７のＥ−Ｅ線矢視断面図。
【図９】実施例における，固定留め付け金具の斜視図。
【図１０】実施例における，外壁施工構造の斜視図。
【図１１】図１０のＡ−Ａ線矢視断面図。
【図１２】図１０のＢ−Ｂ線矢視断面図。
【図１３】図１０のＣ−Ｃ線矢視断面図。
【図１４】実施例における，外壁施工構造の水平断面図。
【図１５】実施例における，外壁施工構造の正面図。
【図１６】実施例における，図１４のＤ−Ｄ線矢視断面相当の，雨水の流れの説明図。
【図１７】従来例における，縦材に固定した長尺留め付け金具の斜視図。
【符号の説明】
１．．．留め付け部材，
１１．．．取付板，
１２．．．固定留め付け金具，
２．．．長尺固定板，
３．．．スライド留め付け金具，
３１．．．基板部，
３２．．．上方脚部，
３３．．．下方脚部，
３４．．．支承部，
３５．．．上板係止部，
３６．．．下板係止部，
４．．．外壁板，
４０．．．左右接合部，
４１．．．上辺部，
４２．．．下辺部，
５．．．外壁施工構造，
５０．．．構造躯体，
５１．．．縦材，
【図１】
2004270341.tif 000003
【図２】
2004270341.tif 000004
【図３】
2004270341.tif 000005
【図４】
2004270341.tif 000006
【図５】
2004270341.tif 000007
【図６】
2004270341.tif 000008
【図７】
2004270341.tif 000009
【図８】
2004270341.tif 000010
【図９】
2004270341.tif 000011
【図１０】
2004270341.tif 000012
【図１１】
2004270341.tif 000013
【図１２】
2004270341.tif 000014
【図１３】
2004270341.tif 000015
【図１４】
2004270341.tif 000016
【図１５】
2004270341.tif 000017
【図１６】
2004270341.tif 000018
【図１７】
2004270341.tif 000019